(57)【要約】【課題】ユーザ利便性が高い認証を行うことを提供すること。【解決手段】認証装置１は、複数のパネルを含む認証用画像を表示すると共に、複数のパネルの各々に予め登録された複数の認証情報のうちのいずれかを表示する表示部２と、複数のパネルのいずれかが選択された場合、選択されたパネルに隣接するパネルに表示された認証情報を変更するパネル制御部３と、複数のパネルに表示された認証情報が所定条件を満たす場合、自装置のロック状態を解除するロック解除部４と、を備える。【選択図】図１
2019140548.tif 000002
【特許請求の範囲】
【請求項１】
複数のパネルを含む認証用画像を表示すると共に、前記複数のパネルの各々に予め登録された複数の認証情報のうちのいずれかを表示する表示部と、
前記複数のパネルのいずれかが選択された場合、前記選択されたパネルに隣接するパネルに表示された認証情報を変更するパネル制御部と、
前記複数のパネルに表示された認証情報が所定条件を満たす場合、自装置のロック状態を解除するロック解除部と、を備える認証装置。
【請求項２】
前記複数のパネルは、ｍ×ｎ（ｍ、ｎ：２以上の自然数）の格子状に配置され、
前記パネル制御部は、前記複数のパネルのいずれかが選択された場合、前記選択されたパネルに隣接し、前記選択されたパネルを囲むパネルの認証情報を変更する、請求項１に記載の認証装置。
【請求項３】
前記パネル制御部は、ｉ行目ｊ列目（ｉ：１〜ｍ、ｊ：１〜ｎ）に配置されたパネルが選択された場合、（ｉ−１）行目ｊ列目、（ｉ＋１）行目ｊ列目、ｉ行目（ｊ−１）列目およびｉ行目（ｊ＋１）列目に配置されたパネルの認証情報を変更する、請求項２に記載の認証装置。
【請求項４】
前記パネル制御部は、前記複数のパネルのいずれかが選択された場合、前記選択されたパネルに隣接するパネルの認証情報を所定の変更パターンに従って変更する、請求項１〜３のいずれか１項に記載の認証装置。
【請求項５】
前記表示部および前記パネル制御部は、タッチパネルにより構成され、
前記パネル制御部は、ユーザがタップしたパネルを検知し、前記ユーザがタップしたパネルを前記選択されたパネルと決定する、請求項１〜４のいずれか１項に記載の認証装置。
【請求項６】
前記所定条件は、前記複数のパネルのうち予め登録された全てのパネルの認証情報が、予め登録された認証情報と一致したことである、請求項１〜５のいずれか１項に記載の認証装置。
【請求項７】
前記表示部は、複数のパネルを含み、前記複数のパネルの配置が前記認証用画像と同一であって、前記ロック解除部が自装置のロック状態を解除する際に用いるパネルおよび当該パネルの認証情報を登録する登録用画像を表示すると共に、前記複数のパネルの各々に予め登録された複数の認証情報のうちのいずれかを表示し、
前記登録用画像に表示された複数のパネルのうち、ユーザが指定したパネルおよび前記指定されたパネルの認証情報を、前記ロック解除部が自装置のロック状態を解除する際に用いるパネルおよび当該パネルの認証情報として登録する登録部をさらに備える、請求項６に記載の認証装置。
【請求項８】
前記認証情報は、色および記号の少なくとも１つを含む情報である、請求項１〜７のいずれか１項に記載の認証装置。
【請求項９】
複数のパネルを含む認証用画像を表示すると共に、前記複数のパネルの各々に予め登録された複数の認証情報のうちのいずれかを表示することと、
前記複数のパネルのいずれかが選択された場合、前記選択されたパネルに隣接するパネルに表示された認証情報を変更することと、
前記複数のパネルに表示された認証情報が所定条件を満たす場合、自装置のロック状態を解除することと、を含む認証方法。
【請求項１０】
複数のパネルを含む認証用画像を表示すると共に、前記複数のパネルの各々に予め登録された複数の認証情報のうちのいずれかを表示することと、
前記複数のパネルのいずれかが選択された場合、前記選択されたパネルに隣接するパネルに表示された認証情報を変更することと、
前記複数のパネルに表示された認証情報が所定条件を満たす場合、自装置のロック状態を解除することと、をコンピュータに実行させる認証プログラム。
【発明の詳細な説明】
【技術分野】
【０００１】
本開示は、認証装置、認証方法および認証プログラムに関する。
【背景技術】
【０００２】
スマートフォンやタブレット端末等のタッチパネルを備える端末を利用するユーザの多くは、画面ロック機能を用いて、第三者に自身の端末を操作されないようにしている。例えば、スマートフォンにおける画面ロック機能の例として、パターン認証が挙げられる。「パターン認証」は、画面ロック機能を解除する際に、スマートフォンに表示された、３×３の格子状に９つのパネルが配置された認証解除用画像を、ユーザが、予め登録されたパネルを、予め登録された順番に従ってなぞることによって解除される認証方式である。
【０００３】
しかし、この「パターン認証」方式は、認証時に端末の画面上に、認証パターンの線(ユーザが指でなぞった軌跡)が大きく描画されてしまうため、第三者からの覗き見が容易であり、且つ、パターンが比較的容易に記憶可能である。つまり、第三者はユーザの端末を覗き見し、認証時のパターンを記憶することにより、第三者は容易にユーザの端末の認証をクリアすることが出来てしまう。そのため、このようなリスクに対する関連する技術が検討されている（例えば、特許文献１）。
【０００４】
特許文献１には、Ｎ個のオブジェクトのマトリックス配列を認証情報の入力用画像として表示し、ユーザが選択したオブジェクトと隣り合うオブジェクトとを入れ替え、表示された画像が認証解除パターンと一致する場合に認証を成功することが開示されている。
【先行技術文献】
【特許文献】
【０００５】
【特許文献１】特開２０１５−１７０２５４号公報
【発明の概要】
【発明が解決しようとする課題】
【０００６】
特許文献１に開示された技術は、ユーザが、例えば高齢者である場合やオブジェクトの入れ替え等の操作に不慣れである場合には不向きな技術である。すなわち、特許文献１に開示された技術は、ユーザ利便性が高い認証方式とはなっていない。
【０００７】
本開示の目的は、このような問題を解決するためになされたものであり、ユーザ利便性が高い認証を行うことが可能な認証装置、認証方法および認証プログラムを提供することである。
【課題を解決するための手段】
【０００８】
第１の態様にかかる認証装置は、
複数のパネルを含む認証用画像を表示すると共に、前記複数のパネルの各々に予め登録された複数の認証情報のうちのいずれかを表示する表示部と、
前記複数のパネルのいずれかが選択された場合、前記選択されたパネルに隣接するパネルに表示された認証情報を変更するパネル制御部と、
前記複数のパネルに表示された認証情報が所定条件を満たす場合、自装置のロック状態を解除するロック解除部と、を備える。
【０００９】
第２の態様にかかる認証方法は、
複数のパネルを含む認証用画像を表示すると共に、前記複数のパネルの各々に予め登録された複数の認証情報のうちのいずれかを表示することと、
前記複数のパネルのいずれかが選択された場合、前記選択されたパネルに隣接するパネルに表示された認証情報を変更することと、
前記複数のパネルに表示された認証情報が所定条件を満たす場合、自装置のロック状態を解除することと、を含む認証方法である。
【００１０】
第３の態様にかかるプログラムは、
複数のパネルを含む認証用画像を表示すると共に、前記複数のパネルの各々に予め登録された複数の認証情報のうちのいずれかを表示することと、
前記複数のパネルのいずれかが選択された場合、前記選択されたパネルに隣接するパネルに表示された認証情報を変更することと、
前記複数のパネルに表示された認証情報が所定条件を満たす場合、自装置のロック状態を解除することと、をコンピュータに実行させる認証プログラムである。
【発明の効果】
【００１１】
上述の態様によれば、ユーザ利便性が高い認証を行うことが可能となる。
【図面の簡単な説明】
【００１２】
【図１】実施の形態の概要にかかる認証装置の構成例を示す構成図である。
【図２】実施の形態にかかる認証装置の構成例を示す構成図である。
【図３】実施の形態にかかる認証用画像およびパネル制御の内容を説明する図である。
【図４】実施の形態にかかる登録用画像および登録処理の内容を説明する図である。
【図５】実施の形態にかかる登録用画像および登録処理の内容を説明する図である。
【図６】実施の形態にかかる認証装置のロック解除する際の動作例を示すフローチャートである。
【図７Ａ】実施の形態にかかる認証装置のパネルと色とを登録する際の動作例を示すフローチャートである。
【図７Ｂ】実施の形態にかかる認証装置のパネルと色とを登録する際の動作例を示すフローチャートである。
【発明を実施するための形態】
【００１３】
以下、図面を参照しつつ、実施形態について説明する。なお、実施形態において、同一の要素には、同一の符号を付し、重複する説明は省略される。
（実施の形態の概要）
まず、実施の形態に先立って、実施の形態の概要について説明する。図１を用いて、実施の形態の概要にかかる認証装置１について説明する。図１は、実施の形態の概要にかかる認証装置の構成例を示す構成図である。
【００１４】
認証装置１は、例えば、携帯電話端末、スマートフォン端末、タブレット型端末、パーソナルコンピュータ装置等の通信端末であってもよい。認証装置１は、表示部２と、パネル制御部３と、ロック解除部４と、を備える。
【００１５】
表示部２、パネル制御部３およびロック解除部４は、プロセッサがメモリに格納されたプログラムを実行することによって処理が実行されるソフトウェアもしくはモジュールであってもよい。また、表示部２、パネル制御部３およびロック解除部４は、回路もしくはチップ等のハードウェアであってもよい。
【００１６】
表示部２は、認証装置１に設けられたディスプレイであり、複数のパネルを含む認証用画像を表示すると共に、複数のパネルの各々に予め登録された複数の認証情報のうちのいずれかを表示する。複数のパネルは、ｍ×ｎ（ｍ、ｎ：２以上の自然数）の格子状に配置されていてもよい。なお、ｍとｎとは、同一の数字であってもよいし、異なる数字であってもよい。認証情報は、記号、色などであってもよい。記号情報は、数字、アルファベット、ひらがな文字、カタカナ文字、漢字または図形の少なくとも１つを含む記号であってもよい。
【００１７】
パネル制御部３は、例えば、キーボード、マウス、タッチパネル等により構成された入力部であると共に、パネルに表示された認証情報を制御する制御部である。パネル制御部３は、認証装置１のユーザが複数のパネルのいずれかを選択した場合、選択されたパネルを検知する。パネル制御部３は、複数のパネルのいずれかが選択された場合、選択されたパネルに隣接するパネルに表示された認証情報を変更する。
【００１８】
ロック解除部４は、複数のパネルに表示された認証情報が所定条件を満たす場合、自装置のロック状態を解除する。
【００１９】
以上説明したように、表示部２は、複数のパネルを含む認証用画像を表示し、パネル制御部３は、ユーザがいずれかのパネルを選択した場合、選択されたパネルに隣接するパネルの認証情報を変更する。そして、ロック解除部４は、複数のパネルに表示された認証情報が所定条件を満たす場合、自装置のロック状態を解除する。すなわち、実施の形態にかかる認証装置１によれば、ユーザは、複数のパネルのいずれかを選択するのみで自装置のロック状態を解除することが可能となる。したがって、実施の形態の概要にかかる認証装置１によれば、ユーザ利便性が高い認証を行うことが可能となる。
【００２０】
（実施の形態）
以下、図面を参照して、本開示の実施の形態について説明する。
＜認証装置の構成例＞
図２を用いて、実施の形態にかかる認証装置１０について説明する。図２は、実施の形態にかかる認証装置の構成例を示す構成図である。
【００２１】
認証装置１０は、実施の形態の概要にかかる認証装置１に対応する。認証装置１０は、スマートフォン端末である。なお、認証装置１０は、携帯電話端末、タブレット型端末、パーソナルコンピュータ装置等であってもよい。認証装置１０は、表示部１１、パネル制御部１２、ロック解除部１３、登録部１４および記憶部１５を備える。
【００２２】
表示部１１、パネル制御部１２、ロック解除部１３、登録部１４および記憶部１５は、プロセッサがメモリに格納されたプログラムを実行することによって処理が実行されるソフトウェアもしくはモジュールであってもよい。また、表示部１１、パネル制御部１２、ロック解除部１３、登録部１４および記憶部１５は、回路もしくはチップ等のハードウェアであってもよい。
【００２３】
表示部１１は、実施の形態の概要にかかる表示部２に対応する。表示部１１は、スマートフォン端末に備えられたタッチパネルにより構成される。具体的には、表示部１１は、スマートフォン端末に備えられたタッチパネルディスプレイである。表示部１１は、複数のパネルを含み、複数のパネルがｍ×ｎの格子状に配置された画像である認証用画像および登録用画像を表示する。
【００２４】
認証用画像は、認証装置１０のロックを解除する際に用いる画像である。認証用画像は、例えば、認証装置１０の電源がＯＦＦ状態からＯＮ状態に変更された場合または認証装置１０がスリープ状態からアクティブ状態に変更された場合に表示される。
【００２５】
登録用画像は、複数のパネルを含み、複数のパネルの配置が認証用画像と同一であって、認証装置１０のロック状態を解除する際に用いる所定条件を登録する画像である。登録用画像は、認証装置１０のロックが解除された状態であって、ユーザが上記所定条件を登録する設定を行う際に表示される画像である。
【００２６】
認証用画像および登録用画像は、１６個のパネルを含み、１６個のパネルが４×４の格子状に配置されている画像であってもよい。なお、当然ながら、パネル数およびパネルの配置は一例であるので、上記には限定されない。
【００２７】
表示部１１は、認証装置１０のロックを解除する際、認証用画像を表示すると共に、複数のパネルの各々に予め登録された複数の認証情報のうちのいずれかを表示する。また、表示部１１は、パネル制御部１２が認証情報を変更した場合、変更後の認証情報をタッチパネルディスプレイに表示する。
【００２８】
認証情報は、パネルに表示された色であってもよいし、ひらがな、カタカナ、英数字等を含む記号であってもよい。もしくは、認証情報は、色および記号の少なくとも１つを含む情報であってもよい。なお、以降の説明においては、認証情報は、色であるとして説明を行う。つまり、表示部１１は、複数のパネルの各々に予め登録された複数の色のうちのいずれかを表示する。また、複数の色は、赤、黄色、緑、白として説明を行う。当然ながら、上記の色は一例であって、適宜変更が可能である。
【００２９】
表示部１１は、タッチパネルディスプレイに認証用画像を表示する際、初期状態として全てのパネルを赤で表示する。なお、表示部１１は、初期状態として全てのパネルを赤とは異なる色で表示してもよいし、パネル毎に異なる色を表示してもよい。
【００３０】
また、表示部１１は、認証装置１０のロックを解除する際に用いるパネルおよび色を登録する際、登録用画像を表示すると共に、複数のパネルの各々に予め登録された複数の色のうちのいずれかを表示する。また、表示部１１は、パネル制御部１２がいずれかのパネルの色を変更する場合、変更後の色をタッチパネルディスプレイに表示する。
【００３１】
表示部１１は、タッチパネルディスプレイに登録用画像を表示する際、初期状態として全てのパネルを赤で表示する。なお、表示部１１は、初期状態として全てのパネルを赤とは異なる色で表示してもよいし、パネル毎に異なる色を表示してもよい。
【００３２】
パネル制御部１２は、実施の形態の概要にかかるパネル制御部３に対応する。パネル制御部１２は、スマートフォン端末に備えられたタッチパネルにより構成される。具体的には、パネル制御部１２は、タッチパネルに備えられたポインティングデバイスである。パネル制御部１２は、ユーザがいずれかのパネルをタップした場合、いずれかのパネルがタップされたことを検知して、タップされたパネルを判断する。パネル制御部１２は、ユーザがタップしたパネルを、ユーザが選択したパネルと決定する。
【００３３】
パネル制御部１２は、認証用画像または登録用画像において、ユーザがいずれかのパネルをタップした場合、タップされたパネルに隣接するパネルに表示された色を変更する。なお、パネル制御部１２は、ユーザがタップしたパネルに隣接するパネルであって、認証用画像または登録用画像に表示されたパネルのみの色を変更する。
【００３４】
パネル制御部１２は、タップされたパネルに隣接し、タップされたパネルを囲むパネルに表示された色を変更してもよい。もしくは、パネル制御部１２は、ｉ行目ｊ列目（ｉ：１〜４、ｊ：１〜４）に配置されたパネルがタップされた場合、（ｉ−１）行目ｊ列目、（ｉ＋１）行目ｊ列目、ｉ行目（ｊ−１）列目およびｉ行目（ｊ＋１）列目に配置されたパネルの色を変更してもよい。
【００３５】
なお、以降の説明においては、パネル制御部１２は、ｉ行目ｊ列目に配置されたパネルがタップされた場合、（ｉ−１）行目ｊ列目、（ｉ＋１）行目ｊ列目、ｉ行目（ｊ−１）列目およびｉ行目（ｊ＋１）列目のパネルの色を変更するとして説明を行う。また、説明を行う上で便宜的に、タップされたパネル（ｉ行目ｊ列目（ｉ：１〜４、ｊ：１〜４）に配置されたパネル）を基準として、（ｉ−１）行目ｊ列目のパネルを上パネルとして記載することがある。また、（ｉ＋１）行目ｊ列目を下パネル、ｉ行目（ｊ−１）列目のパネルを左パネル、ｉ行目（ｊ＋１）列目に配置されたパネルを右パネルとして記載することがある。さらに、上パネル、下パネル、左パネル、右パネルを総称して上下左右パネルと記載することがある。
【００３６】
パネル制御部１２は、認証用画像または登録用画像において、いずれかのパネルがタップされた場合、タップされたパネルの上下左右パネルに表示された色を所定の変更パターンに従って変更する。本実施の形態では、変更パターンは、赤、黄色、緑、白、赤の順に変更するパターンであるとして説明を行う。具体的には、パネル制御部１２は、赤が表示されているパネルの色を変更する場合、赤から黄色に変更する。パネル制御部１２は、黄色が表示されているパネルの色を変更する場合、黄色から緑に変更する。パネル制御部１２は、緑が表示されているパネルの色を変更する場合、緑から白に変更する。パネル制御部１２は、白が表示されているパネルの色を変更する場合、白から赤に変更する。なお、変更パターンは、上記の変更パターンに限られず、他の変更パターンであってもよい。また、パネル制御部１２は、タップされたパネルの上下左右パネルに表示された色を、赤、黄色、緑、白の中からランダムに選択して変更してもよい。
【００３７】
パネル制御部１２は、登録用画像において、認証装置１０のロック解除に用いるパネルをユーザが指定した場合、パネルの表示状態を変更する制御を行う。また、パネル制御部１２は、認証用画像または登録用画像に表示されたボタンの制御も行う。具体的には、ユーザが認証用画像または登録用画像に表示されたボタンをタップした場合、ボタンがタップされたことを検知して、タップされたボタンが押下された場合の処理を行う。
【００３８】
ここで、図３を用いて、認証用画像およびパネル制御部１２が行うパネル制御の内容を説明する。図３は、実施の形態にかかる認証用画像およびパネル制御の内容を説明する図である。図３の左図は、認証用画像において、「認証」ボタン２３の近くに配置されたパネルを４行目のパネルとし、最も上かつ最も左のパネルを１行目１列目に配置されたパネルとした場合、ユーザが３行目３列目のパネルをタップする前の状態を示した図である。図３の右図は、認証用画像において、ユーザが３行目３列目のパネルをタップした後の状態を示した図である。
【００３９】
まず、図３の左図を用いて、認証用画像２１について説明する。認証用画像２１は、認証装置１０のタッチパネルディスプレイに表示される画像であって、認証装置１０のロック解除時に表示される画像である。認証用画像２１は、パネル領域２２と、「認証」ボタン２３とを備える。
【００４０】
パネル領域２２は、１６個のパネルが４×４の格子状に配置された領域である。
「認証」ボタン２３は、認証装置１０のロックを解除する際にユーザが押下するボタンである。
【００４１】
ユーザが認証装置１０のロックを解除する際、ユーザがパネル領域２２に配置されたパネルをタップすることにより、タップされたパネルの上下左右パネルに表示された色を変更する。パネル領域２２に配置された複数のパネルに表示された色が所定条件を満たし、ユーザが「認証」ボタン２３を押下した場合、認証装置１０のロックが解除される。
【００４２】
一方、パネル領域２２に配置された複数のパネルに表示された色が所定条件を満たしていない状態でユーザが「認証」ボタン２３を押下した場合、認証装置１０のロックは解除されない。この場合、例えば、「認証に失敗しました」等の、認証に失敗したことをユーザに示すメッセージが表示され、全てのパネルが赤に変更される。
【００４３】
次に、パネル制御部１２のパネル制御について説明する。図３の左図に示すように、ユーザが３行目３列目のパネルをタップし、３行目３列目のパネルの上下左右パネルには、白が表示されているとする。そうすると、パネル制御部１２は、タップしたパネルの上下左右パネルの色を所定の変更パターンに従って変更する。つまり、パネル制御部１２は、タップしたパネルの上下左右パネルの色を白から赤に変更する。
【００４４】
図２に戻り、ロック解除部１３について説明する。ロック解除部１３は、複数のパネルに表示された色が所定条件を満たす場合、自装置のロック状態を解除する。所定条件は、複数のパネルのうち、予め登録された全てのパネルの色が、予め登録された色と一致したことであってもよい。もしくは、所定条件は、特定の色が表示されたパネル数が予め登録したパネル数と一致したことであってもよい。もしくは、所定条件は、色が変更されたパネル数が予め登録した閾値以上となったことであってもよい。なお、以降の説明においては、所定条件は、複数のパネルのうち予め登録された全てのパネルの色が、予め登録された色と一致したこととして説明を行う。
【００４５】
図３の右図を用いて具体例を説明すると、例えば、ユーザが登録用画面において、１行目４列目〜４行目４列目の４つのパネルをロック解除に用いるパネルとして指定し、当該４つのパネルが赤であることをロック解除の条件としたとする。この場合、図３の右図に示すように、１行目４列目〜４行目４列目の４つのパネルは赤であるため、ロック解除の条件を満たしている。この状態で、ユーザが「認証」ボタン２３を押下した場合、ロック解除部１３は、複数のパネルに表示された色がロック解除の条件を満たすので、認証装置１０のロックを解除する。
【００４６】
ここで、ユーザがタップしたパネルは１つであるのに対して、色が変更されるパネルは複数である。そのため、例えば、第三者にロック解除時の状況をのぞき見された場合であっても、当該第三者は、どのパネルの色が認証装置１０のロック解除に影響しているかを容易に把握することが出来ない。また、例えば、ユーザが認証装置１０のロックを解除する際の条件として指定したパネルと関連が無いパネルをタップして認証装置１０のロックを解除したとする。この場合、第三者は、ユーザがタップしたパネルが認証装置１０のロック解除に影響していると推測する。しかし、ユーザがタップしたパネルは、認証装置１０のロック解除に影響していないパネルであるので、第三者は、どのパネルの色が認証装置１０のロック解除に影響しているかを容易に把握することが出来ない。
【００４７】
図２に戻り、登録部１４について説明する。登録部１４は、登録用画像に表示された複数のパネルのうち、ユーザが指定したパネルおよび指定されたパネルの色情報を、ロック解除部１３が自装置のロックを解除する際に用いるパネルおよび当該パネルの色として登録する。
【００４８】
ここで、図４および図５を用いて、登録用画像および登録部１４が行う登録処理の内容を説明する。図４および図５は、実施の形態にかかる登録用画像および登録処理の内容を説明する図である。
【００４９】
まず、図４および図５を用いて登録用画像について説明する。登録用画像は、図４および図５に示す２つの画像により構成される。図４は、ロック解除の際に用いるパネルの色を指定する画像である。また、図５は、ロック解除の際に用いるパネルを指定する画像であり、図４に示す画像において、ユーザが「次へ」ボタン３３を押下すると表示される画像である。なお、登録用画像において、「次へ」ボタン３３または「登録」ボタン４３の近くに配置されたパネルを４行目のパネルとし、最も上かつ最も左に配置されたパネルを１行目１列目に配置されたパネルとする。
【００５０】
まず、図４を用いて、登録用画像３１について説明する。図４に示すように、登録用画像３１は、パネル領域３２と、「次へ」ボタン２３とを備える。
【００５１】
パネル領域３２は、１６個のパネルが４×４の格子状に配置された領域である。パネル領域３２に配置された複数のパネルは、認証用画像のパネル領域２２に配置されたパネルと同様の配置である。
【００５２】
「次へ」ボタン３３は、ユーザがロック解除の際に用いるパネルの色を決定したときに押下されるボタンである。ユーザが「次へ」ボタン３３を押下すると、パネルの色が決定され、図５に示すパネルを指定する画面に遷移する。
【００５３】
次に、図５を用いて、登録用画像４１について説明する。図５に示すように、登録用画像４１は、パネル領域４２と、「登録」ボタン４３とを備える。
【００５４】
パネル領域４２は、４×４のパネルが配置された領域である。パネル領域４２に配置された複数のパネルは、パネル領域３２に配置されたパネルと同様の配置である。パネル領域４２に配置されたパネルには、図４に示したパネル領域３２において、ユーザが「次へ」ボタン３３を押下した時点の複数のパネルの色が保持されて表示される。パネル領域４２において、ユーザがいずれかのパネルをタップすると、パネル制御部１２は、タップされたパネルの表示状態を変更し、ユーザが指定したパネルであることが分かるようにタップされたパネルを強調して表示する。なお、強調して表示されたパネルを再度タップすると、強調して表示された状態が解除される。本実施の形態においては、パネル制御部１２は、タップされたパネルの枠を、他のパネルの枠の色と異なる色（例えば、青色）で表示する。図５に示す一例では、ユーザが１行目４列目〜４行目４列目のパネルを指定した場合の表示状態を示している。
【００５５】
なお、パネル制御部１２は、タップされたパネルの枠を、タップされていないパネルの枠よりも太くして表示してもよい。もしくは、パネル制御部１２は、タップされたパネルをタップされていないパネルよりも大きく表示することにより強調して表示してもよい。もしくは、パネル制御部１２は、タップされたパネルに記号を表示して指定されたパネルであることが分かるように表示状態を変更してもよい。
【００５６】
「登録」ボタン４３は、パネル領域４２において、ユーザがロック解除の際に用いるパネルを指定して登録する際に押下されるボタンである。ユーザが「登録」ボタン４３を押下すると、ユーザが指定したパネルおよび当該パネルの色が登録され、記憶部１５に記憶される。図５に示す一例では、ユーザが１行目４列目〜４行目４列目のパネルを指定した場合の表示状態を示しており、この状態でユーザが「登録」ボタン４３を押下したとする。そうすると、登録部１４は、１行目４列目〜４行目４列目のパネルを、認証装置１０のロック解除時に用いるパネルと決定し、１行目４列目〜４行目４列目のパネルの色をロック解除時に用いるパネルの色と決定する。そして、登録部１４は、ユーザが指定したパネルと当該パネルの色とを記憶部１５に記憶する。
【００５７】
次に、図４および図５を用いて、登録処理について説明する。ユーザが、認証装置１０のロックが解除された状態であって、ユーザが認証装置１０のロック状態を解除する際に用いる所定条件を登録する設定を行うと、登録部１４は、図４の登録用画像３１を表示部１１に表示する。図４に示す登録用画像３１の初期状態は、上述したように全てのパネルが赤で表示された状態である。この状態において、ユーザがいずれかのパネルをタップすると、パネル制御部１２は、タップされたパネルの上下左右パネルの色を所定の変更パターンに従って変更する。ユーザが少なくとも１つのパネルの色を変更し、複数のパネルの色が、ユーザが所望する状態になり、ユーザが「次へ」ボタン３３を押下する。そうすると、登録部１４は、図５に示す登録用画像４１を表示する。
【００５８】
図５に示す登録用画像４１のパネル領域４２において、ユーザは、認証装置１０のロックを解除する際に用いるパネルをタップすることにより指定する。ユーザがいずれかのパネルをタップすると、パネル制御部１２は、タップされたパネルの枠を強調して表示する。例えば、図５に示すように、ユーザが１行目４列目〜４行目４列目のパネルを指定した場合、１行目４列目〜４行目４列目のパネルを強調して表示する。そして、ユーザが「登録」ボタン４３を押下すると、登録部１４は、図５においてパネルが強調して表示されたパネルを、認証装置１０のロックを解除する際に用いるパネルとして決定する。また、登録部１４は、認証装置１０のロックを解除する際に用いるパネルとして決定されたパネルの色を、認証装置１０のロックを解除する際に用いるパネルの色として決定する。そして、登録部１４は、決定されたパネルと当該パネルの色をロック解除の条件とし、記憶部１５に記憶する。
【００５９】
図２に戻り、記憶部１５について説明する。記憶部１５は、認証装置１０において使用される各種情報を記憶する。具体的には、記憶部１５は、認証用画像および登録用画像を記憶する。記憶部１５は、認証装置１０のロックを解除する際に用いるパネルと、当該パネルの色と、をロック解除の条件として記憶する。記憶部１５は、その他、認証装置１０が動作する際の各種制御情報を記憶する。なお、記憶部１５は、パネルの色情報の変更パターンを記憶してもよい。
【００６０】
＜認証装置の動作例＞
続いて、図６、図７Ａおよび図７Ｂを用いて、認証装置１０の動作例を説明する。
＜ロック解除時の動作例＞
まず、図６を用いて、ロック解除時の動作例を説明する。図６は、実施の形態にかかる認証装置のロック解除する際の動作例を示すフローチャートである。図６に示すフローチャートは、認証装置１０の電源がＯＦＦ状態からＯＮ状態に変更された場合または認証装置１０がスリープ状態からアクティブ状態に変更された場合に行われる。なお、以降の説明において、「ロック解除時の動作」を「ロック解除処理」と称して記載することがある。
【００６１】
まず、認証装置１０は、認証用画像２１を表示する（ステップＳ１）。表示部１１は、認証用画像２１を表示し、認証用画像２１に含まれる全てのパネルを赤で表示する。
【００６２】
次に、ユーザ操作に応じてパネルの色を変更する（ステップＳ２）。認証用画像２１において、ユーザがいずれかのパネルをタップすると、パネル制御部１２は、タップされたパネルの上下左右パネルの色を所定の変更パターンに従って変更する。
【００６３】
次に、１つ以上のパネルの色が変更されたかを判定する（ステップＳ３）。パネル制御部１２は、一定時間毎に、ステップＳ３の判定を行う。ステップＳ２において、ユーザがパネルの色を変更していた場合（ステップＳ３のＹＥＳ）、ステップＳ４を実行する。
【００６４】
一方、ステップＳ２において、ユーザがいずれかのパネルをタップしない場合、ユーザがタップしたことをパネル制御部１２が検知しない場合など、パネルの色が変更されていない場合（ステップＳ３のＮＯ）、ステップＳ２に戻る。そして、認証装置１０は、一定時間後にステップＳ３の判定を再度行う。
【００６５】
次に、ステップＳ４において、「認証」ボタン２３を表示する（ステップＳ４）。１つ以上のパネルの色が変更されている場合、パネル制御部１２は、「認証」ボタン２３を表示部１１に表示する。
【００６６】
次に、入力されたパネルの色と予め登録された情報と比較する（ステップＳ５）。ユーザが「認証」ボタン２３を押下した場合、ステップＳ５において、ロック解除部１３は、複数のパネルのうち予め登録された全てのパネルの色と、予め登録された色とを比較する。
【００６７】
次に、入力されたパネルの色と予め登録された情報と一致しているかを判定する（ステップＳ６）。ロック解除部１３は、複数のパネルのうち予め登録された全てのパネルの色と、予め登録された色と一致しているかを判定する。
【００６８】
複数のパネルのうち予め登録された全てのパネルの色と、予め登録された色とが一致している場合（ステップＳ６のＹＥＳ）、ロック解除部１３は、認証装置１０のロックを解除する（ステップＳ７）。
【００６９】
一方、複数のパネルのうち予め登録された全てのパネルの色と、予め登録された色とが一致していない場合（ステップＳ６のＮＯ）、ロック解除部１３は、「認証に失敗しました」のメッセージを表示し（ステップＳ８）、ステップＳ１に戻る。
【００７０】
＜パネルと色情報とを登録する際の動作例＞
続いて、図７Ａおよび図７Ｂを用いて、認証装置１０のロック解除の際に用いるパネルと色とを登録する際の動作例を説明する。図７Ａおよび図７Ｂは、実施の形態にかかる認証装置のパネルと色とを登録する際の動作例を示すフローチャートである。図７Ａおよび図７Ｂに示すフローチャートは、認証装置１０のロックが解除された状態であって、ユーザが認証装置１０のロック状態を解除する際の条件を登録する際に実行される。
【００７１】
まず、図６に示したロック解除処理を行う（ステップＳ１１）。認証装置１０のロック解除の際に用いるパネルおよび当該パネルの色は、第三者に勝手に変えられてしまうと、第三者が自由に認証装置１０のロックを解除することが出来てしまう。そのため、認証装置１０は、まず、ユーザにロック解除処理を行わせる。
【００７２】
次に、色を指定する登録用画像３１を表示する（ステップＳ１２）。ユーザがロック解除処理を正常に完了すると、登録部１４は、図４に示した登録用画像３１を表示部１１に表示し、全てのパネルを赤で表示する。
【００７３】
次に、ユーザ操作に応じてパネルの色を変更する（ステップＳ１３）。登録用画像３１において、ユーザがいずれかのパネルをタップすると、パネル制御部１２は、タップされたパネルの上下左右パネルの色を所定の変更パターンに従って変更する。
【００７４】
次に、１つ以上のパネルの色が変更されたかを判定する（ステップＳ１４）。パネル制御部１２は、一定時間毎に、ステップＳ１４の判定を行う。ステップＳ１３において、ユーザがパネルの色情報を変更していた場合（ステップＳ１４のＹＥＳ）、ステップＳ１５を実行する。
【００７５】
一方、ステップＳ１３において、ユーザがいずれかのパネルをタップしない場合、ユーザがタップしたことをパネル制御部１２が検知しない場合など、１つ以上のパネルの色が変更されていない場合（ステップＳ１４のＮＯ）、ステップＳ１３に戻る。そして、認証装置１０は、一定時間後にステップＳ１４の判定を再度行う。
【００７６】
次に、ステップＳ１５において、「次へ」ボタン３３を表示する（ステップＳ１５）。１つ以上のパネルの色が変更されている場合、パネル制御部１２は、「次へ」ボタン３３を表示部１１に表示する。
【００７７】
ユーザが「次へ」ボタン３３を押下した場合、登録用画像４１を表示する（ステップＳ１６）。ユーザが「次へ」ボタン３３を押下した場合、登録部１４は、「次へ」ボタン３３を押下した時点の複数のパネルの色を保持して、図５に示した登録用画像４１を表示部１１に表示し、保持した複数のパネルの色をパネル領域４２に表示する。
【００７８】
次に、ユーザが指定したパネルの表示状態を変更する（ステップＳ１７）。登録用画像４１において、ユーザがいずれかのパネルをタップすると、パネル制御部１２は、タップされたパネルの枠を、タップされていないパネルの枠と異なる色で表示し、タップされたパネルを強調して表示する。
【００７９】
次に、１つ以上のパネルが指定された状態になっているかを判定する（ステップＳ１８）。パネル制御部１２は、一定時間毎に、ステップＳ１８の判定を行う。ステップＳ１７において、ユーザがいずれかのパネルをタップして指定していた場合（ステップＳ１８のＹＥＳ）、ステップＳ１９を実行する。
【００８０】
一方、ステップＳ１７において、ユーザがいずれかのパネルをタップしない場合、ユーザがタップしたことをパネル制御部１２が検知しない場合など、１つ以上のパネルが指定されていない場合（ステップＳ１８のＮＯ）、ステップＳ１７に戻る。そして、認証装置１０は、一定時間後にステップＳ１８の判定を再度行う。
【００８１】
次に、「登録」ボタン４３を登録用画像４１に表示する（ステップＳ１９）。ユーザが１つ以上のパネルをタップして指定された状態になっている場合、パネル制御部１２は、「登録」ボタン４３を登録用画像４１に表示する。
【００８２】
次に、「登録」ボタン４３を押下時の指定パネルおよび当該パネルの色を登録する（ステップＳ２０）。ユーザが「登録」ボタン４３を押下すると、登録部１４は、「登録」ボタン４３押下時に指定されたパネルおよび当該パネルの色を登録する。登録部１４は、「登録」ボタン４３押下時に指定されたパネルおよび当該パネルの色をロック解除の条件として記憶部１５に記憶する。
【００８３】
以上説明したように、パネル制御部１２は、ユーザがタップしたパネルの上下左右パネルの色を変更する。ロック解除部１３は、複数のパネルのうち予め指定された全てのパネルの色が、予め指定された色と一致した場合、認証装置１０のロックを解除する。すなわち、本実施の形態にかかる認証装置１０によれば、ユーザは表示部１１に表示されたパネルをタップするのみでロックを解除することが可能となる。そのため、本実施の形態にかかる認証装置１０を用いることにより、ユーザが例えば高齢者である場合やオブジェクトの入れ替え等の操作に不慣れである場合であっても、容易に操作を行うことが可能となる。したがって、本実施の形態にかかる認証装置１０によれば、ユーザ利便性が高い認証を提供することが可能となる。
【００８４】
また、上述したように、パネル制御部１２は、ユーザがタップしたパネルとは異なるパネルである上下左右パネルの色を変更する。すなわち、ユーザがタップしたパネルは１つであるのに対して、色が変更されるパネルは複数である。そのため、第三者にロック解除時の状況をのぞき見された場合であっても、当該第三者は、どのパネルの色が認証装置１０のロック解除に影響しているかを容易に把握することが出来ない。
【００８５】
さらに、ユーザが認証装置１０のロックを解除する際に用いるパネルとして指定したパネルと関連が無いパネルをタップしたとする。この場合、第三者は、ユーザがタップしたパネルが認証装置１０のロック解除に影響していると推測する。しかし、ユーザがタップしたパネルは、認証装置１０のロック解除に影響していないパネルであるので、第三者は、どのパネルの色が認証装置１０のロック解除に影響しているかを容易に把握することが出来ない。したがって、本実施の形態にかかる認証装置１０によれば、セキュリティの高い認証を提供することが可能となる。
【００８６】
以上、実施形態を参照して本願発明を説明したが、本願発明は上記実施の形態に限定されものではなく、趣旨を逸脱しない範囲で適宜変更することが可能である。本願発明の構成や詳細には、本願発明のスコープ内で当業者が理解し得る様々な変更をすることができる。
【００８７】
上述の例において、プログラムは、様々なタイプの非一時的なコンピュータ可読媒体（ｎｏｎ-ｔｒａｎｓｉｔｏｒｙ  ｃｏｍｐｕｔｅｒ  ｒｅａｄａｂｌｅ  ｍｅｄｉｕｍ）を用いて格納され、コンピュータに供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Ｒｅａｄ  Ｏｎｌｙ  Ｍｅｍｏｒy）、ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュＲＯＭ、ＲＡＭ（Ｒａｎｄｏｍ  Ａｃｃｅｓｓ  Ｍｅｍｏｒｙ）を含む。また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００８８】
また、上記の実施形態の一部又は全部は、以下の付記のようにも記載されうるが、以下には限られない。
（付記１）
複数のパネルを含む認証用画像を表示すると共に、前記複数のパネルの各々に予め登録された複数の認証情報のうちのいずれかを表示する表示部と、
前記複数のパネルのいずれかが選択された場合、前記選択されたパネルに隣接するパネルに表示された認証情報を変更するパネル制御部と、
前記複数のパネルに表示された認証情報が所定条件を満たす場合、自装置のロック状態を解除するロック解除部と、を備える認証装置。
（付記２）
前記複数のパネルは、ｍ×ｎ（ｍ、ｎ：２以上の自然数）の格子状に配置され、
前記パネル制御部は、前記複数のパネルのいずれかが選択された場合、前記選択されたパネルに隣接し、前記選択されたパネルを囲むパネルの認証情報を変更する、付記１に記載の認証装置。
（付記３）
前記パネル制御部は、ｉ行目ｊ列目（ｉ：１〜ｍ、ｊ：１〜ｎ）に配置されたパネルが選択された場合、（ｉ−１）行目ｊ列目、（ｉ＋１）行目ｊ列目、ｉ行目（ｊ−１）列目およびｉ行目（ｊ＋１）列目に配置されたパネルの認証情報を変更する、付記２に記載の認証装置。
（付記４）
前記パネル制御部は、前記複数のパネルのいずれかが選択された場合、前記選択されたパネルに隣接するパネルの認証情報を所定の変更パターンに従って変更する、付記１〜３のいずれか１項に記載の認証装置。
（付記５）
前記パネル制御部は、前記複数のパネルのいずれかが選択された場合、前記選択されたパネルに隣接するパネルの認証情報をランダムに変更する、付記１〜３のいずれか１項に記載の認証装置。
（付記６）
前記表示部および前記パネル制御部は、タッチパネルにより構成され、
前記パネル制御部は、ユーザがタップしたパネルを検知し、前記ユーザがタップしたパネルを前記選択されたパネルと決定する、付記１〜５のいずれか１項に記載の認証装置。
（付記７）
前記所定条件は、前記複数のパネルのうち予め登録された全てのパネルの認証情報が、予め登録された認証情報と一致したことである、付記１〜６のいずれか１項に記載の認証装置。
（付記８）
前記表示部は、複数のパネルを含み、前記複数のパネルの配置が前記認証用画像と同一であって、前記ロック解除部が自装置のロック状態を解除する際に用いるパネルおよび当該パネルの認証情報を登録する登録用画像を表示すると共に、前記複数のパネルの各々に予め登録された複数の認証情報のうちのいずれかを表示し、
前記登録用画像に表示された複数のパネルのうち、ユーザが指定したパネルおよび前記指定されたパネルの認証情報を、前記ロック解除部が自装置のロック状態を解除する際に用いるパネルおよび当該パネルの認証情報として登録する登録部をさらに備える、付記７に記載の認証装置。
（付記９）
前記認証情報は、色および記号の少なくとも１つを含む情報である、付記１〜８のいずれか１項に記載の認証装置。
（付記１０）
複数のパネルを含む認証用画像を表示すると共に、前記複数のパネルの各々に予め登録された複数の認証情報のうちのいずれかを表示することと、
前記複数のパネルのいずれかが選択された場合、前記選択されたパネルに隣接するパネルに表示された認証情報を変更することと、
前記複数のパネルに表示された認証情報が所定条件を満たす場合、自装置のロック状態を解除することと、を含む認証方法。
（付記１１）
複数のパネルを含む認証用画像を表示すると共に、前記複数のパネルの各々に予め登録された複数の認証情報のうちのいずれかを表示することと、
前記複数のパネルのいずれかが選択された場合、前記選択されたパネルに隣接するパネルに表示された認証情報を変更することと、
前記複数のパネルに表示された認証情報が所定条件を満たす場合、自装置のロック状態を解除することと、をコンピュータに実行させる認証プログラム。
【符号の説明】
【００８９】
１、１０  認証装置
２、１１  表示部
３、１２  パネル制御部
４、１３  ロック解除部
１４  登録部
１５  記憶部
【図１】
2019140548.tif 000003
【図２】
2019140548.tif 000004
【図３】
2019140548.tif 000005
【図４】
2019140548.tif 000006
【図５】
2019140548.tif 000007
【図６】
2019140548.tif 000008
【図７Ａ】
2019140548.tif 000009
【図７Ｂ】
2019140548.tif 000010